(57)【要約】【課題】丈夫で美麗な金属製の柵の支柱のキャップを提供する。【解決手段】中空球体状で球面の一部に開口部を有する頭球部材と、その開口部に挿入嵌着する基台とからなるキャップで、頭球部材の開口部を基台の支持筒部に嵌合支持し、基台の下方から支持筒部の内径に沿って棒状支持体を挿入すると共に、頭球部材の上方から凹状型体で押圧し、前記棒状支持体の進行によって基台の支持筒部の上端部を拡開させて嵌合支持部分をカシメて固定する。頭球部材は、金属円板を深絞り加工して底部に半球面を有する有底筒体を形成し、この有底筒体の開口側は金型で開口を閉塞しないように絞り加工して中空球体状に成形する。基体は、金属円板を絞り加工により有底の円筒状に成形し、絞り加工で二段の円錐台形状とした上その底部に孔を穿設して、頭球部材の開口部に挿入可能な先細の支持筒部と支柱の径に見合う径の台座筒部を成形する。【選択図】図１
2015209677.tif 000002
【特許請求の範囲】
【請求項１】
中空球体状でその球面の一部に開口部を有する頭球部材と、その開口部に挿入嵌着する基台とからなる柵の支柱のキャップであって、頭球部材の開口部を基台の支持筒部に嵌合支持し、その基台の下方から支持筒部の内径に沿って棒状支持体を挿入すると共に、頭球部材の上方から凹状型体で押圧して、前記棒状支持体の進行によって基台の支持筒部の上端部を拡開させて嵌合支持部分をカシメて固定したことを特徴とする柵の支柱のキャップ。
【請求項２】
頭球部材は、金属円板を、凹型半球面を有する金型で深絞り加工して底部に半球面を有する有底筒体を形成し、さらに、この有底筒体の開口側は凹型半球面を有する金型で開口を閉塞しないように絞り加工して中空球体状に成形したものである請求項１記載の柵の支柱のキャップ。
【請求項３】
基体は、金属円板を絞り加工により有底の円筒状に成形し、さらに、絞り加工で直径の異なる二段の円錐台形状としたうえ、その底部に孔を穿設して、先細で上記頭球部材の開口部に挿入可能な支持筒部と支柱の径に見合う径の台座筒部を成形したものである請求項１または請求項２記載の柵の支柱のキャップ。
【発明の詳細な説明】
【技術分野】
【０００１】
この発明は、道路の車道と歩道を分けるガードフェンスや動物の防護柵など、各種の柵の支柱の頭部に取り付けるキャップに関する。
【背景技術】
【０００２】
従来、各種の柵の支柱としては、主に金属製のパイプが使用されている。そしてその頭頂縁部を保護するためなどを理由として、さまざまな態様のキャップが取り付けられている。このキャップは、例えば、特許文献１に示すように、単に支柱の頭頂部に嵌着するようにしたものや、特許文献２に示すように、少し意匠を施したものなどがある。また、特許文献３、４に示すように、発光体を取り付けたものやロープなどを結索可能としたものなど、実用的な用途を併有したものもある。
【０００３】
そして、これらのキャップのほとんどは、その成形や加工の容易性から、単純な形状の鋼のキャップが多用されている。
【先行技術文献】
【特許文献】
【０００４】
【特許文献１】特開２００６−２２５９４４号公報
【特許文献２】特開２０００−３１３４７１号公報
【特許文献３】登録実用新案第３０１９２９７号公報
【特許文献４】特開２０１２−１５２１３１号公報
【発明の概要】
【発明が解決しようとする課題】
【０００５】
しかしながら、従来のキャップは、実用性はあるものの、外観上、見劣りがする。そのため、丈夫で、且つ、意匠的にも優れたキャップが求められている。
【０００６】
本発明は、かかる現状から、簡単な構成を有しながら、丈夫、且つ、美麗なキャップを提供することを目的としている。
【課題を解決するための手段】
【０００７】
上記課題を解決するため、本発明は、中空球体状でその球面の一部に開口部を有する頭球部材と、その開口部に挿入嵌着する基台とからなる柵の支柱のキャップであって、頭球部材の開口部を基台の支持筒部に嵌合支持し、その基台の下方から支持筒部の内径に沿って棒状支持体を挿入すると共に、頭球部材の上方から凹状型体で押圧して、前記棒状支持体の進行によって基台の支持筒部の上端部を拡開させて嵌合支持部分をカシメて固定するという手段を採用した。
【０００８】
そして、頭球部材は、金属円板を、凹型半球面を有する金型で深絞り加工して底部に半球面を有する有底筒体を形成し、さらに、この有底筒体の開口側は凹型半球面を有する金型で開口を閉塞しないように絞り加工して中空球体状に成形するという手段を採用した。
【０００９】
また、基体は、金属円板を絞り加工により有底の円筒状に成形し、さらに、絞り加工で直径の異なる二段の円錐台形状としたうえ、その底部に孔を穿設して、先細で上記頭球部材の開口部に挿入可能な支持筒部と支柱の径に見合う径の台座筒部を成形するという手段を採用した。
【発明の効果】
【００１０】
上記構成に係る本発明のキャップは、継ぎ目のない真球に近い頭球部材と継ぎ目のない基台が、カシメにより互いに堅固に固定されるため、丈夫で長期に亘り経年劣化しないキャップとなる。
【００１１】
また、、かかるキャップは、全体に均整がとれ意匠的にも美感に優れるものであるので、柵の連続した支柱に使用することによって、堅牢さと美感を併有した柵を提供できる。
【図面の簡単な説明】
【００１２】
【図１】（Ａ）は本発明に係るキャップの完成斜視図、（Ｂ）はその中央縦断面図である。
【図２】頭球部材と基台を組み合わせて固定する工程の一例を示すものである。
【図３】頭球部材の開口部の他の実施形態を示すものである。
【図４】キャップを使用した柵の一例を示すものである。
【発明を実施するための形態】
【００１３】
以下、本発明に係る柵の支柱のキャップに関して、好ましい実施形態を図面について説明する。
【００１４】
図１において、（Ａ）はキャップの完成斜視図であり、（Ｂ）はその中央縦断面図である。本発明のキャップは、図示するように、所定の直径を有する中空の球体状で、その球面の一部を切り欠いてなる円状の開口部１ａを有する頭球部材１と、この頭球部材１を支持する円筒状の基台２とからなる。また、基台２は、上記頭球部材１の開口部１ａに挿入係合する先細の支持筒部２ａと、柵の支柱の頭部に適宜な手段で嵌合係着可能な台座筒部２ｂとを有している。そして、このキャップは、図４に示すように、柵の支柱（Ｐ）の頭部に適宜な手段で嵌着するものである。
【００１５】
この頭球部材１は、例えば、所定厚さの適宜な金属板を円板状に打ち抜いた上、この金属円板を所定の凹型半球面を有する金型に押圧して深絞り加工することで底部に半球面を有する有底筒体を形成し、さらに、この有底筒体の開口側から凹型半球面を有する金型で上下方向に押圧して絞り加工を施すことで残り部分も半球状となり、全体としてほぼ球体に成形される。これにより、継ぎ目のない中空球体状に成形することができる。その際、所定の直径の開口部１ａを閉塞しないで残して成形することで、図示した開口部１ａを有する頭球部材１が得られる。
【００１６】
なお、絞り加工などの際、球面の曲率を一定値にすることでほぼ真球となるので、意匠的に美麗な外観を呈する。但し、全体の曲率が一致しない場合であっても、球体に近い外観を呈し、実用性に問題が生じることはない。
【００１７】
このように、例えば、一枚の金属円板を絞り工程などを経て球体に成形することができるので、成形工程が単純化されるとともに、真球に近く、継ぎ目のない頭球部材１を比較的容易に成形することができる。
【００１８】
次に、基台２については、頭球部材１と同様に、例えば、金属円板を絞り加工などにより有底の円筒状に成形し、さらに、絞り加工で直径の異なる二段の円錐台形状とし、その底部に所定径の孔を穿設することにより成形することができる。これによって、先細で上記頭球部材１の開口部１ａに挿入可能な支持筒部２ａと支柱の径に見合う径の台座筒部２ｂを有する継ぎ目のない基台２を得ることができる。
【００１９】
このように、基台２についても、一枚の金属円板に絞り加工などを施すことによって成形することができるので、寸法の正確な基台を容易に得ることができる。また、継ぎ目がなく堅牢である。
【００２０】
次に、上記形状の頭部部材１と基台２の組み立てについて、図２に従って説明する。上述したように、頭球部材１は、その周面の一部に所定径の開口部１ａを有している。一方、基台２は、上記頭球部材１の開口部１ａに挿入係合する先細の支持筒部２ａと、柵の支柱の頭部に適宜な手段で嵌合係着可能な台座筒部２ｂとを有している。そこで、先ず、同図（ａ）に示すように、頭球部材１の開口部１ａを基台２の支持筒部２ａに嵌合させて、同図（ｂ）に示すように、支持筒部２ａの高さの途中に頭球部材１が位置するようにする。次に、同図（ｃ）に示すように、基台２の下方から支持筒部２ａの内側に沿って棒状支持体３を挿入すると共に、頭球部材１の上方からは、凹状金型４で押圧する。このとき、棒状支持体３の直径は、上記頭球部材１の開口部１ａと基台２の支持筒部２ａとの接触部分における支持筒部２ａの内径とほぼ一致する径を有する。これにより、凹状金型４で頭球部材１を押圧すると、（ｄ）に示すように、棒状支持体３が支持筒部２ａ内を進行し、その上端部を拡開させて（図（ｄ）左右方向の矢印参照。）、該部をカシメることができる。その結果、図１に示したように、基台２に頭球部材１を堅固に固定したキャップを得ることができる。かかるキャップは、丈夫であり経年劣化が少ないものとなる。
【００２１】
なお、本実施形態において、上記頭球部材１、及び、基台２の大きさは、設置する支柱の直径に応じて適宜選択するもので、任意に決定できる。これにより、キャップ全体の大きさも決定される。
【００２２】
また、上記頭球部材１及び基台２の素材としては、金属材料であれば特に限定するものではなく、鉄、ステンレス、アルミニウム、真鍮、銅などの金属板を必要に応じて適宜選択することができる。この場合、屋外に設置されるものについては、耐腐食性に優れた素材を選択することが好ましい。
【００２３】
なお、上述した頭球部材１の開口部１ａは、上記したものに限らず、例えば、図３（ａ）に示すように、開口縁部が内側に嵌入したような形状であってもよい。この場合は、上記頭球部材１の開口部１ａに、開口部１ａの径より少し大きい棒状体（図示せず）を押入して、開口縁部を内側に陥入させて形成することができる。また、同図（ｂ）に示すように、開口縁部が球面より外側に延伸した態様であってもよい。そして、いずれの形状であっても、この頭球部材１は、前述したカシメによる手段、又は、他の公知の手段により基台２に嵌着、固定して、キャップが完成する。
【００２４】
上記頭球部材１と基台２を組み立てたキャップは、その接合部をカシメ等により強固に接合できるので、非常に堅固であり壊れにくく、長期に亘る使用が可能である。また、意匠的にも、曲線と直線の結合からなる美感があり、図４に示すように、柵の連続する支柱（Ｐ）に使用することにより、一定の美感を生じさせることができる。
【符号の説明】
【００２５】
１    頭球部材
１ａ  開口部
２    基台
２ａ  支持筒部
２ｂ  台座筒部
３    棒状支持体
４    凹状金型
【図１】
2015209677.tif 000003
【図２】
2015209677.tif 000004
【図３】
2015209677.tif 000005
【図４】
2015209677.tif 000006